(57)【要約】【課題】  雷に基づく放電を分散させ、落雷時の衝撃を大幅に緩和するとともに、加えて、避雷針部における全体の小型化を図り、特に、一般住宅に設置して最適な避雷針装置を提供する。【解決手段】  受雷部位に複数の突針部Ｐ…を配した避雷針部２及びこの避雷針部２で受けた雷に基づく雷電流Ｉｓを地中Ｅに流す導電部３を有する避雷針装置１を構成するに際して、中央に配した突針支持ブロック部５の底面部分５ｄを除く最外郭面Ｆｏ上に複数の突針部Ｐ…を立体的に支持してなる避雷針部２を備えて構成する。【選択図】  図１
2017062899.tif 000002
【特許請求の範囲】
【請求項１】
受雷部位に複数の突針部を配した避雷針部及びこの避雷針部で受けた雷に基づく雷電流を地中に流す導電部を有する避雷針装置において、中央に配した突針支持ブロック部の底面部分を除く最外郭面上に複数の突針部を立体的に支持してなる避雷針部を備えることを特徴とする避雷針装置。
【請求項２】
前記突針支持ブロック部は、複数の支持プレート部を、中心軸を支点にして放射方向に突出させ、かつ周方向に所定角度間隔おきに配した形状に構成してなることを特徴とする請求項１記載の避雷針装置。
【請求項３】
前記支持プレート部により支持される突針部には、真上方向に突出した少なくとも一以上の突針部を含むグループ，斜め上方向に突出した少なくとも一以上の突針部を含むグループ，横方向に突出した少なくとも一以上の突針部を含むグループ，の一グループ又は二グループ以上を含むことを特徴とする請求項２記載の避雷針装置。
【請求項４】
前記導電部は、前記雷電流が流れる導線の周囲に配し、雷サージを吸収する磁性体によりドーナツ形に形成した少なくとも一以上のサージ吸収コアを備えることを特徴とする請求項１記載の避雷針装置。
【請求項５】
前記導電部は、前記サージ吸収コアに巻いた巻線部の両端に接続した放電抵抗を備えることを特徴とする請求項４記載の避雷針装置。
【請求項６】
一般住宅に設置することを特徴とする請求項１〜５のいずれかに記載の避雷針装置。
【発明の詳細な説明】
【技術分野】
【０００１】
本発明は、受雷部位に複数の突針部を配した避雷針部及びこの避雷針部で受けた雷に基づく雷電流を地中に流す導電部を有する避雷針装置に関する。
【背景技術】
【０００２】
一般に、ビルディング等の建築物には、上方に突出した一本の突針部を用いた避雷針が設置されており、特に、高さ２０メートルを超える建築物には避雷針の設置が基本的に義務付けられている。ところで、避雷針は、落雷が建築物に直撃することを回避する機能を有するとともに、雷が避雷針に誘導された場合であっても、避雷針の周りの一定範囲を保護する機能が求められる。このため、避雷針の機能をより高めることを目的として複数本の突針部を設けた避雷針も提案されている。
【０００３】
従来、このような複数本の突針部を設けた避雷針としては、特許文献１で開示されるリング付き避雷針及び特許文献２で開示される避雷針が知られている。特許文献１で開示されるリング付き避雷針は、従来の避雷針と比較して、低い高さ、或いは少ない本数で同等の避雷効果を得るとともに、避雷針の保護範囲の拡大を目的としたものであり、具体的には、導電性の水平状リング部分を底円とし導電性の鉛直棒状部分の先端を頂点とし、該頂点とリング状部分とを結んだ円錐の母線と垂直中心線との間の角度が６０°以上かつ９０°未満となるよう導電性の支持片を介して水平状リング部分が棒状部分の先端の下側部に取付けられたものである。また、特許文献２で開示される避雷針は、高さをできるだけ低くし、かつ、保護範囲をできるだけ広く確保できる避雷針の提供を目的としたものであり、具体的には、環状受雷部をその環状面を水平にして配置し、この環状受雷部の周縁に垂直上方に突出した環上突針を設け、環状受雷部の周縁を頂点とする保護角による円錐内と、環上突針の先端を頂点とする保護角による円錐内となる保護範囲を得るようにしたものである。
【先行技術文献】
【特許文献】
【０００４】
【特許文献１】特開平５−１２１１９２号公報
【特許文献２】特開２００６−１６４６６１号公報
【発明の概要】
【発明が解決しようとする課題】
【０００５】
しかし、上述した避雷針をはじめ、従来の多くの避雷針は、大型の建築物を想定したものであるため、次のような解決すべき課題も存在した。
【０００６】
即ち、一般住宅であっても、例えば、高原に建てられ、雷の脅威に晒される環境に存在する住宅では避雷針の設置が望ましい。一方、このような住宅では、比較的容易に保護範囲を確保できるものの、建築物としての大きさが小さく、避雷針と居住者間の距離が短くなるため、落雷時の衝撃が大きな問題となる。このため、落雷を吸収し、保護範囲を確保することに加え、衝撃を如何に低減するは、一般住宅にとっての重要な課題となる。しかしながら、従来の避雷針には、このような落雷時の衝撃を緩和する機能に着目したものは何ら存在せず、一般住宅にとっての最適な避雷針を得る観点からは、更なる改善の余地があった。
【０００７】
本発明は、このような背景技術に存在する課題を解決した避雷針装置の提供を目的とするものである。
【課題を解決するための手段】
【０００８】
本発明は、上述した課題を解決するため、受雷部位に複数の突針部Ｐ…を配した避雷針部２及びこの避雷針部２で受けた雷に基づく雷電流Ｉｓを地中Ｅに流す導電部３を有する避雷針装置１を構成するに際して、中央に配した突針支持ブロック部５の底面部分５ｄを除く最外郭面Ｆｏ上に複数の突針部Ｐ…を立体的に支持してなる避雷針部２を備えることを特徴とする。
【０００９】
この場合、発明の好適な態様により、突針支持ブロック部５は、複数の支持プレート部５ｐ…を、中心軸Ｓｃを支点にして放射方向に突出させ、かつ周方向に所定角度Ｒｆ間隔おきに配した形状に構成することができる。また、支持プレート部５ｐ…により支持される突針部Ｐ…には、真上方向に突出した少なくとも一以上の突針部Ｐｕ…を含むグループ，斜め上方向に突出した少なくとも一以上の突針部Ｐｓ…を含むグループ，横方向に突出した少なくとも一以上の突針部Ｐｈ…を含むグループ，の一グループ又は二グループ以上を含ませることができる。一方、導電部３には、雷電流Ｉｓが流れる導線３ｗの周囲に配し、雷サージを吸収する磁性体によりドーナツ状に形成した少なくとも一以上のサージ吸収コア１１…を設けることができる。さらに、導電部３には、サージ吸収コア１１…に巻いた巻線部１２…の両端に接続した放電抵抗１３…を設けることができる。なお、避雷針装置１は一般住宅Ｈに設置することが望ましい。
【発明の効果】
【００１０】
このような構成を有する本発明に係る避雷針装置１によれば、次のような顕著な効果を奏する。
【００１１】
（１）  中央に配した突針支持ブロック部５の底面部分５ｄを除く最外郭面Ｆｏ上に複数の突針部Ｐ…を立体的に支持してなる避雷針部２を備えるため、雷に基づく放電を一点に集中させることなく、分散させることができ、落雷時の衝撃を緩和することができる。加えて、立体的に配した突針部Ｐ…により、複数の突針部Ｐ…を配する場合であっても避雷針部２の全体の小型化を図ることができる。したがって、用途としては、特に、一般住宅Ｈに設置して最適となる。
【００１２】
（２）  好適な態様により、突針支持ブロック部５を構成するに際し、複数の支持プレート部５ｐ…を、中心軸Ｓｃを支点にして放射方向に突出させ、かつ周方向に所定角度Ｒｆ間隔おきに配した形状に構成すれば、各支持プレート部５ｐ…における最外郭面Ｆｏにより複数の突針部Ｐ…を支持可能になるため、避雷針部２の全体の機械的強度を確保しつつ各突針部Ｐ…を確実に支持することができる。しかも、各突針部Ｐ…を配置する際における立体化を容易に行うことができるとともに、十分な放熱性も確保できる。
【００１３】
（３）  好適な態様により、支持プレート部５ｐ…により支持される突針部Ｐ…に、真上方向に突出した少なくとも一以上の突針部Ｐｕ…を含むグループ，斜め上方向に突出した少なくとも一以上の突針部Ｐｓ…を含むグループ，横方向に突出した少なくとも一以上の突針部Ｐｈ…を含むグループ，の一グループ又は二グループ以上を含ませれば、各突針部Ｐ…の突出方向を、いわば半球面内における放射方向に向けることができるため、各突針部Ｐ…における突出方向の分散均一化を容易に実現できる。
【００１４】
（４）  好適な態様により、導電部３に、雷電流Ｉｓが流れる導線３ｗの周囲に配し、雷サージを吸収する磁性体によりドーナツ状に形成した少なくとも一以上のサージ吸収コア１１…を設ければ、雷電流Ｉｓが地中Ｅに流れる前に、サージ吸収コア１１…により雷サージの少なくとも一部、特に、雷サージの高周波成分を含む衝撃波を吸収できるため、地中Ｅに流れる雷電流Ｉｓを減少させ、雷に基づく弊害、即ち、電子機器等に悪影響が生じる弊害を低減できる。
【００１５】
（５）  好適な態様により、導電部３に、サージ吸収コア１１…に巻いた巻線部１２…の両端に接続した放電抵抗１３…を設ければ、サージ吸収コア１１…により吸収しきれない雷サージを巻線部１２…と放電抵抗１３…のループ回路により吸収できるため、より効果的なサージ吸収機能を発揮させることができる。
【図面の簡単な説明】
【００１６】
【図１】本発明の好適実施形態に係る避雷針装置の全体を示す一部断面正面図、
【図２】同避雷針装置の平面図、
【図３】同避雷針装置における避雷針部の一部を破断して示す分解構成図、
【図４】同避雷針装置における導電部の一部を拡大した断面正面図、
【図５】同避雷針装置の導電部に備えるサージ吸収コアの外観斜視図、
【図６】同避雷針装置を一般住宅に使用した例を示す使用説明図、
【図７】同避雷針装置における導電部の変更例を示す外観斜視図、
【発明を実施するための形態】
【００１７】
次に、本発明に係る好適実施形態を挙げ、図面に基づき詳細に説明する。
【００１８】
まず、本実施形態に係る避雷針装置１の構成について、図１〜図５を参照して具体的に説明する。
【００１９】
本実施形態に係る避雷針装置１は、図１に示すように、大別して、上端に位置することにより、受雷部位に複数の突針部Ｐ…を配してなる避雷針部２と、この避雷針部２から下方に位置することにより、避雷針部２で受けた雷に基づく雷電流Ｉｓを地中Ｅに流す導電部３からなる。
【００２０】
この場合、避雷針部２は、中央に配した突針支持ブロック部５を備える。例示の突針支持ブロック部５は、図２及び図３に示すように、一定の厚さを有する二枚のプレート部材５ｘ，５ｙにより構成する。例示のプレート部材５ｘ，５ｙは、いずれも厚さを３０〔ｍｍ〕程度、横幅を３０〔ｃｍ〕程度に選定した。また、形成素材としては銅素材を使用した。
【００２１】
一方のプレート部材５ｘは、上端辺を半円形に形成し、上端辺の中央位置から下方に、矩形状の係合溝２１を形成するとともに、下端辺の中央位置から上方に、後述する導線３ｗの上端を差し込んで結合するための結合孔部２２を形成する。係合溝２１は、幅寸法をプレート部材５ｙの厚さとほぼ同じに選定し、かつ深さ寸法をプレート部材５ｘの中央位置における全長の１／２に選定する。また、他方のプレート部材５ｙは、上端辺を半円形に形成し、下端辺の中央位置から上方に、矩形状の係合溝２３を形成する。係合溝２３は、幅寸法をプレート部材５ｘの厚さとほぼ同じに選定し、かつ深さ寸法をプレート部材５ｙの中央位置における全長の１／２に選定する。
【００２２】
これにより、図３に示す点線矢印Ｄｓのように、プレート部材５ｙの係合溝２３を、直交方向に配したプレート部材５ｘの係合溝２１に嵌め込み、溶接等により固定すれば、一体化した突針支持ブロック部５を得ることができる。この場合、プレート部材５ｘにおける両側の縦端辺と上端辺の外面，及びプレート部材５ｙにおける両側の縦端辺と上端辺と外面は、それぞれ突針支持ブロック部５における最外郭面Ｆｏを構成するとともに、この最外郭面Ｆｏの除く端辺の面が底面部分５ｄを構成する。
【００２３】
また、このようにして得られる避雷針部２は、図２に示す中心軸Ｓｃを支点にして放射方向に突出した複数の支持プレート部５ｐ…を備えるとともに、支持プレート部５ｐ…は、周方向に所定角度Ｒｆ間隔で配される形状となる。例示の場合、支持プレート部５ｐ…の枚数は四枚、所定角度Ｒｆは９０〔°〕となる。即ち、上述したプレート部材５ｘ，５ｙｆ、それぞれ二枚の支持プレート部５ｐ…を含むことになる。
【００２４】
このように、突針支持ブロック部５を構成するに際し、複数の支持プレート部５ｐ…を、中心軸Ｓｃを支点にして放射方向に突出させ、かつ周方向に所定角度Ｒｆ間隔おきに配した形状に構成すれば、各支持プレート部５ｐ…における最外郭面Ｆｏにより複数の突針部Ｐ…を支持可能になるため、避雷針部２の全体の機械的強度を確保しつつ各突針部Ｐ…を確実に支持することができる。しかも、各突針部Ｐ…を配置する際における立体化を容易に行うことができるとともに、十分な放熱性も確保できる利点がある。
【００２５】
そして、この突針支持ブロック部５に、複数の突針部Ｐ…が立体的に位置するように固定する。まず、図３に示すように、プレート部材５ｘの両側に位置する一方の縦端辺には、上下に離間し、かつ横方向に突出した二本の突針部Ｐ（Ｐｈ）…を固定するとともに、他方の縦端辺にも、上下に離間し、かつ横方向に突出した二本の突針部Ｐ（Ｐｈ）…を固定する。また、係合溝２１の一方側における上端辺上には、斜め上方向に突出した一本の突針部Ｐ（Ｐｓ）を固定するとともに、係合溝２１の他方側における上端辺上にも、斜め上方向に突出した一本の突針部Ｐを固定する。
【００２６】
同様に、プレート部材５ｙの両側に位置する一方の縦端辺には、上下に離間し、かつ横方向に突出した二本の突針部Ｐ（Ｐｈ）…を固定するとともに、他方の縦端辺にも、上下に離間し、かつ横方向に突出した二本の突針部Ｐ（Ｐｈ）…を固定する。また、上端辺の中央には、真上に突出した一本の突針部Ｐ（Ｐｕ）を固定する。さらに、この突針部Ｐ（Ｐｕ）の一方側における上端辺上には、斜め上方向に突出した一本の突針部Ｐ（Ｐｓ）を固定するとともに、突針部Ｐ（Ｐｕ）の他方側における上端辺上にも、斜め上方向に突出した一本の突針部Ｐ（Ｐｓ）を固定する。
【００２７】
この場合、突針部Ｐを最外郭面Ｆｏに固定するには、突針部Ｐの付根部位（先端の反対側）にネジ部を形成し、最外郭面Ｆｏに形成したネジ孔部に螺着することにより固定することができる。また、各突針部Ｐ…は、融点の高い導電性を有する金属素材（例えば、タングステン等）により一体形成するとともに、先端は尖形状に形成する。例示の突針部Ｐは、長さ（突出長）を１０〔ｃｍ〕程度、付根部位の径を２０〔ｍｍ〕程度に選定した。避雷針部２をこのように構成すれば、中央に配した突針支持ブロック部５の底面部分５ｄを除く最外郭面Ｆｏ上に複数の突針部Ｐ…が立体的に支持されることになる。
【００２８】
しかも、例示の場合、支持プレート部５ｐ…により支持される突針部Ｐ…として、真上方向に突出した少なくとも一以上の突針部Ｐｕ…を含むグループ，斜め上方向に突出した少なくとも一以上の突針部Ｐｓ…を含むグループ，横方向に突出した少なくとも一以上の突針部Ｐｈ…を含むグループ，の一グループ又は二グループ以上を含ませたため、各突針部Ｐ…の突出方向を、いわば半球面内における放射方向に向けることができ、この結果、各突針部Ｐ…における突出方向の分散均一化を容易に実現できる利点がある。
【００２９】
他方、導電部３は、避雷針部２で受けた雷に基づく雷電流Ｉｓを地中Ｅに流す機能を備えるため、避雷針部２と地中Ｅを接続する導線３ｗを備える。例示の導線３ｗは、直径５〔ｍｍ〕程度の銅線を選定した。したがって、導線３ｗの上端部は、図１及び図３に示すように、前述したプレート部材５ｘの下端辺に形成した結合孔部２２に差し込み、溶接等により結合するとともに、導線３ｗの下端部には、図１に示すように、アース板３１を接続し、このアース板３１は、地面Ｇから所定の深さに埋め込む。
【００３０】
さらに、導電部３には、雷電流Ｉｓが流れる導線３ｗの周囲に配し、雷サージを吸収する磁性体によりドーナツ状に形成した少なくとも一以上のサージ吸収コア１１…を設ける。サージ吸収コア１１は、パーマロイや珪素鋼等の金属磁性体、フェライト等の酸化物磁性体などの各種磁性体（強磁性体）により一体形成する。図４及び図５に、サージ吸収コア１１を抽出して示す。サージ吸収コア１１は、図１に示すように、導線３ｗの周囲に同軸上に配することができれば、形状及び大きさが特定されるものではない。したがって、ドーナツ状には、例示のような偏平形状を適用してもよいし、軸方向に長い筒形状を適用してもよく、各種ドーナツ形状を含めるひとができる。
【００３１】
また、サージ吸収コア１１…を配設する場合には、一例として、図１に示すような絶縁管３２を利用することができる。絶縁管３２は、セラミック等の絶縁素材により形成し、内部に、導線３ｗ及びサージ吸収コア１１…を収容できる内径を確保する。そして、例えば、図４に示すように、絶縁管３２の内周面から複数の支持片３３…を中心方向に突出させ、この支持片３３…によりサージ吸収コア１１を支持することができる。例示の絶縁管３２は、図１に示すように、導線３ｗの保護機能、サージ吸収コア１１の支持機能、上述した避雷針部２の支持機能を兼用することになる。
【００３２】
このようなサージ吸収コア１１…を設ければ、雷電流Ｉｓが地中Ｅに流れる前に、サージ吸収コア１１…により雷サージの少なくとも一部、特に、雷サージの高周波成分を含む衝撃波を吸収できるため、地中Ｅに流れる雷電流Ｉｓを減少させ、雷に基づく弊害、即ち、電子機器等に悪影響が生じる弊害を低減できる利点がある。
【００３３】
次に、このような構成を有する本実施形態に係る避雷針装置１の使用方法（設置方法）について、図１〜図６を参照して説明する。
【００３４】
図６中、Ｈは一般住宅であり、この一般住宅Ｈに、本実施形態に係る避雷針装置１を設置した状態を示している。避雷針装置１を設置するに際しては、まず、必要な長さの絶縁管３２を用意する。そして、図１及び図４に示すように、絶縁管３２の内部に、複数のサージ吸収コア１１…を前述した方法に従って配設する。サージ吸収コア１１…の数量及び配設間隔等は実情に応じて任意に選択できる。図１は、配設された六個のサージ吸収コア１１…を示している。
【００３５】
次いで、サージ吸収コア１１…を配設した絶縁管３２を、一般住宅Ｈにおける壁面等に、所定の取付金具等を利用して固定する。この際、絶縁管３２の上端位置は、屋根Ｈｒの上端よりも所定高さだけ高い位置に設定するとともに、絶縁管３２の下端位置は、地面Ｇから所定の深さに位置させる。したがって、地面Ｇには、予め、絶縁管３２の下端位置よりも下方にアース板３１を配することができる大きさの穴を掘っておく。
【００３６】
また、導線３ｗの上端を接続した避雷針部２を用意する。この場合、避雷針部２は、予め組付けを終了し、完成品として用意する。そして、避雷針部２における底面部分５ｄから導出される導線３ｗを、絶縁管３２の上端開口から内部に挿入する。なお、導線３ｗの長さは、予め絶縁管３２の長さに対応した長さに切断しておく。これにより、避雷針部２を、絶縁管３２の上端開口に位置させ、導線３ｗを絶縁管３２に完全に挿入させた際には、導線３ｗの下端が、絶縁管３２の下端開口から所定長さ突出するようにする。
【００３７】
この後、絶縁管３２の下端開口から突出した導線３ｗの下端には、溶接或いはネジ止め等によりアース板３１を接続固定する。以上の作業が終了したなら、掘った穴を土により埋め戻し、アース板３１及び絶縁管３２の下端を地中Ｅに埋設する。これにより、本実施形態に係る避雷針装置１は、図１に示すように組付けられるとともに、図６に示すように設置される。なお、図示を省略したが、避雷針部２と絶縁管３２の上端開口は、ボルトナット等により固定可能な連結金具等を用いて連結固定する。
【００３８】
このように、本実施形態に係る避雷針装置１は、基本的な構成として、中央に配した突針支持ブロック部５の底面部分５ｄを除く最外郭面Ｆｏ上に複数の突針部Ｐ…を立体的に支持してなる避雷針部２を備えるため、立体的に配した突針部Ｐ…により、複数の突針部Ｐ…を配する場合であっても避雷針部２の全体の小型化を図ることができる。したがって、用途としては、特に、一般住宅Ｈに設置して最適となる。
【００３９】
次に、本実施形態に係る避雷針装置１の機能（作用）について、図１及び図６を参照して説明する。
【００４０】
今、避雷針装置１（避雷針部２）が落雷を受けた場合を想定する。この場合、避雷針部２は、中央に配した突針支持ブロック部５の底面部分５ｄを除く最外郭面Ｆｏ上に複数の突針部Ｐ…を立体的に配してなるため、雷に基づく放電は、一点に集中することなく、立体的に配した各突針部Ｐ…に分散する。この結果、各突針部Ｐ…に付加される放電エネルギは、単一の突針部Ｐに集中することなく分散されることになり、落雷時の衝撃が大幅に緩和される。
【００４１】
また、避雷針部２が落雷を受けることにより、避雷針部２と地面Ｇの電位差により、雷電流Ｉｓが避雷針部２から導線３ｗを通り地中Ｅに流れる。なお、通常の落雷では、避雷針部２に付加される電圧は概ね２００万〜２億〔Ｖ〕程度となり、これにより、流れる雷電流Ｉｓは概ね１０００〜２０万〔Ａ〕となることが知られている。したがって、雷電流Ｉｓは、基本的に導線３ｗを流れた後、地中Ｅに流れ込む。
【００４２】
一方、雷電流Ｉｓが導線３ｗを流れる際には、導線３ｗの周りに同心円状の磁界が発生する。そして、高磁性体により形成したサージ吸収コア１１…の内側空間を通過する際には、雷サージの少なくとも一部が吸収され、熱エネルギに変換される。通常、雷電流Ｉｓは、インパルスであり、ＤＣ成分から１０〔ＭＨｚ〕程度の成分まで、様々な周波数成分の混合電流として成り立っている。したがって、雷サージの高周波成分を含む衝撃波は、サージ吸収コア１１…により吸収される。この結果、雷に基づく衝撃が緩和されることと併せ、地中Ｅに流れる雷電流Ｉｓは、サージ吸収コア１１…による吸収分だけ減少し、雷に基づく弊害、即ち、電子機器等が悪影響を受ける弊害も低減される。
【００４３】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４４】
例えば、突針支持ブロック部５として、四つの支持プレート部５ｐ…を、中心軸Ｓｃを支点にして放射方向に突出させ、かつ周方向に９０〔°〕間隔おきに配した形状に構成する場合を例示したが、支持プレート部５ｐ…の数量は任意である。したがって、三つの支持プレート部５ｐ…を１２０〔°〕の角度間隔で配してもよいし、六つの支持プレート部５ｐ…を６０〔°〕の角度間隔で配してもよいなど、任意の枚数及び角度間隔により実施できる。
【００４５】
一方、導電部３に、雷電流Ｉｓが流れる導線３ｗの周囲に配し、雷サージを吸収する磁性体によりドーナツ状に形成した複数のサージ吸収コア１１…を設けた場合を示したが、必ずしも設けることを要しない。他方、変更例として、図７に示すように、サージ吸収コア１１…に、１ターン（ターン数は任意）の巻線部１２を設け、この巻線部１２の両端に放電抵抗１３を接続した形態により実施してもよい。このように、導電部３に、サージ吸収コア１１…に巻いた巻線部１２…の両端に接続した放電抵抗１３…を設ければ、サージ吸収コア１１…により吸収しきれない雷サージを巻線部１２…と放電抵抗１３…のループ回路により吸収できるため、より効果的なサージ吸収機能を発揮させることができる利点がある。
【産業上の利用可能性】
【００４６】
本発明に係る避雷針装置１は、建築物への落雷を回避する避雷手段として一般住宅をはじめ、各種の建築物に利用することができる。
【符号の説明】
【００４７】
１：避雷針装置，２：避雷針部，３：導電部，３ｗ：導線，５：突針支持ブロック部，５ｄ：突針支持ブロック部の底面部分，５ｐ…：支持プレート部，１１…：サージ吸収コア，１２：巻線部，１３：放電抵抗，Ｐ…：突針部，Ｐｕ（Ｐ）…：真上方向に突出した突針部，Ｐｄ（Ｐ）…：斜め上方向に突出した突針部，Ｐｄ（Ｐ）…：横方向に突出した突針部，Ｉｓ：雷電流，Ｅ：地中，Ｆｏ：突針支持ブロック部の底面部分を除く最外郭面，Ｓｃ：中心軸，Ｒｆ：所定角度，Ｈ：一般住宅
【図１】
2017062899.tif 000003
【図２】
2017062899.tif 000004
【図３】
2017062899.tif 000005
【図４】
2017062899.tif 000006
【図５】
2017062899.tif 000007
【図６】
2017062899.tif 000008
【図７】
2017062899.tif 000009
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
受雷部位に複数の突針部を配した避雷針部及びこの避雷針部で受けた雷に基づく雷電流を地中に流す導電部を有する避雷針装置において、中央に配した突針支持ブロック部の底面部分を除く最外郭面上に複数の突針部を立体的に支持してなる避雷針部を備えるとともに、前記雷電流が流れる導線の周囲に配し、雷サージを吸収する磁性体によりドーナツ形に形成した少なくとも一以上のサージ吸収コア及びこのサージ吸収コアに巻いた巻線部の両端に接続した放電抵抗を有する導電部を備えることを特徴とする避雷針装置。
【請求項２】
前記突針支持ブロック部は、複数の支持プレート部を、中心軸を支点にして放射方向に突出させ、かつ周方向に所定角度間隔おきに配した形状に構成してなることを特徴とする請求項１記載の避雷針装置。
【請求項３】
前記支持プレート部により支持される突針部には、真上方向に突出した少なくとも一以上の突針部を含むグループ，斜め上方向に突出した少なくとも一以上の突針部を含むグループ，横方向に突出した少なくとも一以上の突針部を含むグループ，の一グループ又は二グループ以上を含むことを特徴とする請求項２記載の避雷針装置。
【請求項４】
一般住宅に設置することを特徴とする請求項１，２又は３記載の避雷針装置。
【手続補正２】
【補正対象書類名】明細書
【補正対象項目名】０００８
【補正方法】変更
【補正の内容】
【０００８】
本発明は、上述した課題を解決するため、受雷部位に複数の突針部Ｐ…を配した避雷針部２及びこの避雷針部２で受けた雷に基づく雷電流Ｉｓを地中Ｅに流す導電部３を有する避雷針装置１を構成するに際して、中央に配した突針支持ブロック部５の底面部分５ｄを除く最外郭面Ｆｏ上に複数の突針部Ｐ…を立体的に支持してなる避雷針部２を備えるとともに、雷電流Ｉｓが流れる導線３ｗの周囲に配し、雷サージを吸収する磁性体によりドーナツ形に形成した少なくとも一以上のサージ吸収コア１１…及びこのサージ吸収コア１１…に巻いた巻線部１２…の両端に接続した放電抵抗１３…を有する導電部３を備えることを特徴とする
【手続補正３】
【補正対象書類名】明細書
【補正対象項目名】０００９
【補正方法】変更
【補正の内容】
【０００９】
この場合、発明の好適な態様により、突針支持ブロック部５は、複数の支持プレート部５ｐ…を、中心軸Ｓｃを支点にして放射方向に突出させ、かつ周方向に所定角度Ｒｆ間隔おきに配した形状に構成することができる。また、支持プレート部５ｐ…により支持される突針部Ｐ…には、真上方向に突出した少なくとも一以上の突針部Ｐｕ…を含むグループ，斜め上方向に突出した少なくとも一以上の突針部Ｐｓ…を含むグループ，横方向に突出した少なくとも一以上の突針部Ｐｈ…を含むグループ，の一グループ又は二グループ以上を含ませることができる。なお、避雷針装置１は一般住宅Ｈに設置することが望ましい。
【手続補正４】
【補正対象書類名】明細書
【補正対象項目名】００１２
【補正方法】変更
【補正の内容】
【００１２】
（２）  導電部３には、雷電流Ｉｓが流れる導線３ｗの周囲に配し、雷サージを吸収する磁性体によりドーナツ状に形成した少なくとも一以上のサージ吸収コア１１…を設けたため、雷電流Ｉｓが地中Ｅに流れる前に、サージ吸収コア１１…により雷サージの少なくとも一部、特に、雷サージの高周波成分を含む衝撃波を吸収でき、地中Ｅに流れる雷電流Ｉｓを減少させ、雷に基づく弊害、即ち、電子機器等に悪影響が生じる弊害を低減することができる。
【手続補正５】
【補正対象書類名】明細書
【補正対象項目名】００１３
【補正方法】変更
【補正の内容】
【００１３】
（３）  導電部３には、サージ吸収コア１１…に巻いた巻線部１２…の両端に接続した放電抵抗１３…を設けたため、サージ吸収コア１１…により吸収しきれない雷サージを巻線部１２…と放電抵抗１３…のループ回路により吸収でき、より効果的なサージ吸収機能を発揮させることができる。
【手続補正６】
【補正対象書類名】明細書
【補正対象項目名】００１４
【補正方法】変更
【補正の内容】
【００１４】
（４）  好適な態様により、突針支持ブロック部５を構成するに際し、複数の支持プレート部５ｐ…を、中心軸Ｓｃを支点にして放射方向に突出させ、かつ周方向に所定角度Ｒｆ間隔おきに配した形状に構成すれば、各支持プレート部５ｐ…における最外郭面Ｆｏにより複数の突針部Ｐ…を支持可能になるため、避雷針部２の全体の機械的強度を確保しつつ各突針部Ｐ…を確実に支持することができる。しかも、各突針部Ｐ…を配置する際における立体化を容易に行うことができるとともに、十分な放熱性も確保できる。
【手続補正７】
【補正対象書類名】明細書
【補正対象項目名】００１５
【補正方法】変更
【補正の内容】
【００１５】
（５）  好適な態様により、支持プレート部５ｐ…により支持される突針部Ｐ…に、真上方向に突出した少なくとも一以上の突針部Ｐｕ…を含むグループ，斜め上方向に突出した少なくとも一以上の突針部Ｐｓ…を含むグループ，横方向に突出した少なくとも一以上の突針部Ｐｈ…を含むグループ，の一グループ又は二グループ以上を含ませれば、各突針部Ｐ…の突出方向を、いわば半球面内における放射方向に向けることができるため、各突針部Ｐ…における突出方向の分散均一化を容易に実現できる。
【手続補正８】
【補正対象書類名】明細書
【補正対象項目名】００４３
【補正方法】変更
【補正の内容】
【００４３】
この場合、図７に示すように、サージ吸収コア１１…には、１ターン（ターン数は任意）の巻線部１２を設け、この巻線部１２の両端に放電抵抗１３を接続する。このように、導電部３に、サージ吸収コア１１…に巻いた巻線部１２…の両端に接続した放電抵抗１３…を設けることにより、サージ吸収コア１１…により吸収しきれない雷サージを巻線部１２…と放電抵抗１３…のループ回路により吸収できるため、より効果的なサージ吸収機能を発揮させることができる利点がある。
【手続補正９】
【補正対象書類名】明細書
【補正対象項目名】００４４
【補正方法】変更
【補正の内容】
【００４４】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【手続補正１０】
【補正対象書類名】明細書
【補正対象項目名】００４５
【補正方法】変更
【補正の内容】
【００４５】
例えば、突針支持ブロック部５として、四つの支持プレート部５ｐ…を、中心軸Ｓｃを支点にして放射方向に突出させ、かつ周方向に９０〔°〕間隔おきに配した形状に構成する場合を例示したが、支持プレート部５ｐ…の数量は任意である。したがって、三つの支持プレート部５ｐ…を１２０〔°〕の角度間隔で配してもよいし、六つの支持プレート部５ｐ…を６０〔°〕の角度間隔で配してもよいなど、任意の枚数及び角度間隔により実施できる。